(57)【要約】【課題】サービスエリア圏外において簡単なキー入力又はアンテナの伸縮を契機とすることにより、所定の機能を実行可能な携帯無線端末を提供する。【解決手段】携帯無線端末において、受信レベルを検知する無線部１３と、無線部１３が検知した受信レベルを元に圏内又は圏外を認識する制御部１５と、携帯無線端末の機能に関する情報を記憶する記憶部２１とを備え、記憶部２１に記憶された機能は、圏内時と圏外時とで異なることを特徴とする。【選択図】  図２
2004179967.tif 000002
【特許請求の範囲】
【請求項１】
携帯無線端末において、
受信レベルを検知する無線部と、
前記無線部が検知した受信レベルに基いて圏内又は圏外を認識する制御部と、
携帯無線端末の機能に関する情報を記憶する記憶部とを備え、
前記記憶部に記憶された機能は、圏内時と圏外時とで異なることを特徴とする携帯無線端末。
【請求項２】
前記記憶部に記憶される機能は、ユーザが自由に割当てることができることを特徴とする請求項１に記載の携帯無線端末。
【請求項３】
前記携帯無線端末は、入力操作部を備え、
前記制御部は、前記入力操作部に入力があった場合、前記無線部が検知した受信レベルに基いて圏外であると認識した場合は圏外用の、前記記憶部に記憶された各機能を実行することを特徴とする請求項１又は２に記載の携帯無線端末。
【請求項４】
前記携帯無線端末は、伸縮自在のアンテナを有する場合において、当該アンテナの伸縮状態を検知する検知部を備え、
前記制御部は、前記検知部からアンテナの伸縮状態が変化したことを示す情報を受け取った場合、前記無線部が検知した受信レベルに基いて圏外であると認識した場合は圏外用の、前記記憶部に記憶された各機能を実行することを特徴とする請求項１又は２に記載の携帯無線端末。
【請求項５】
前記携帯無線端末は、表示部を備え、前記制御部は、前記無線部が検知した受信レベルに基づいて、圏外であると認識した場合は圏外用の、前記記憶部に記憶された各機能のメニューを表示することを特徴とする請求項１又は２に記載の携帯無線端末。
【請求項６】
前記携帯無線端末は、携帯電話機であり、
前記記憶部に記憶された機能は、当該携帯電話機の有するアプリケーションであることを特徴とする請求項１乃至５のいずれか一項に記載の携帯無線端末。
【発明の詳細な説明】
【０００１】
【発明の属する技術分野】
本発明は、携帯無線端末がサービスエリア圏外にある場合において、ユーザが使用頻度の高い電子メール機能のような所定の機能をワンタッチのキー操作により実行可能とする携帯無線端末に関する。
【０００２】
【従来の技術】
従来の携帯電話機においてリダイヤルキーとダイヤルキーを共用することによりキーの数とキーの押下回数を少なくするものがある。（特許文献１参照）
【０００３】
【特許文献１】
特開平８−３１７０３６号公報
【０００４】
しかし、受信レベルが非常に悪い地下街、トンネル、移動車両（電車、車、航空機等）のような圏外の場所では、音声の発着信やインターネット等の無線通信回線を使用したオンライン機能は当然のごとく使用できない。ただし、電話帳、メモ帳、ゲーム、ＭＰ３プレーヤー、電子メールの作成等の携帯電話機自身が備えているアプリケーションの機能、すなわち無線通信回線を使用しないオフライン機能は使用できる。
【０００５】
一方、電子メールのようなメニュー形式の機能は、通常は複数回のキー操作で所望機能を選択するようになっている。図５は従来の携帯電話機において電子メールについての所望機能を実行させるための手続きを示す画面表示例である。
【０００６】
【発明が解決しようとする課題】
そこで、圏外において使用頻度の高い、電子メール機能におけるメール作成のような機能についても、一度の操作で実行できればユーザにとって便利である。
【０００７】
しかしながら、上記したように、ほとんどの操作キーには既に機能が割当てられており、これ以上の機能をキーに付加することは、キーを増設しない限り難しいといわざるを得ない。また、新たなキーを増設したり、従来のキーに重畳して新たな機能を付加した場合、ユーザがいずれのキーを操作すればよいかを忘れたり、誤って他のキーを操作する虞がある。従って、このような対策ではユーザの利便性を向上させることはできない。
【０００８】
さらに、従来の技術では、各キーには予め決められた機能が割当てられており、ユーザが希望する機能を自由に割当てることができないという問題もある。
【０００９】
本発明は、携帯無線端末における上記した課題を解決し、圏外にあるときにキー操作又はアンテナの伸縮などを契機とすることにより、所定の機能を簡易な操作で実行可能な携帯無線端末の提供を目的とする。
【００１０】
【課題を解決するための手段】
上記目的を達成するために、請求項１に記載の発明は、携帯無線端末において、受信レベルを検知する無線部と、前記無線部が検知した受信レベルに基いて圏内又は圏外を認識する制御部と、携帯無線端末の機能に関する情報を記憶する記憶部とを備え、前記記憶部に記憶された機能は、圏内時と圏外時とで異なることを特徴とする。
このようにすると、圏外となった場合、所定の機能が自動的に実行されるので、複数回のキー操作が不要となり、ユーザの利便性を向上させることができる。
【００１１】
請求項２に記載の発明は、前記記憶部に記憶される機能について、ユーザが自由に割当てることができることを特徴とする。
このようにすると、圏外において、実行される所定の機能をユーザが自由に割り当てることができる。
【００１２】
請求項３に記載の発明は、前記携帯無線端末が入力操作部を備え、前記制御部は、前記入力操作部に入力があった場合、前記無線部が検知した受信レベルに基いて圏外であると認識した場合は圏外用の、前記記憶部に記憶された各機能を実行することを特徴とする。
このようにすると、圏外において、キー操作をするという簡易な操作により所定の機能が実行されるので、複数回のキー操作が不要となりユーザの利便性を向上させることができる。
また、押下するキーと実行される機能は一対一に対応していなくてもよく、一つの機能に複数のキーを割り当て、ユーザがどのキーを押しても特定の一つの機能が実行されるようにしてもよい。この場合は、圏外において、どのキーを操作しても所定の機能を実行させるので、操作のための方法を忘れたり、誤操作することを防止できる。
【００１３】
請求項４に記載の発明は、前記携帯無線端末が伸縮自在のアンテナを有する場合において、当該アンテナの伸縮状態を検知する検知部を備え、前記制御部は、前記検知部からアンテナの伸縮状態が変化したことを示す情報を受け取った場合、前記無線部が検知した受信レベルに基いて圏外であると認識した場合は圏外用の、前記記憶部に記憶された各機能を実行することを特徴とする。
このようにすると、アンテナを伸縮させるという１つの簡易な操作により所定の機能が実行されるので、複数回のキー操作が不要となりユーザの利便性を向上させることができる。
また、圏外において、アンテナを伸縮させるという覚えやすく確実な操作で所定機能を実行させるので、操作のための方法を忘れたり、誤操作することを防止できる。
【００１４】
請求項５に記載の発明は、前記携帯無線端末が表示部を備え、前記制御部は、前記無線部が検知した受信レベルに基づいて、圏外であると認識した場合は圏外用の、前記記憶部に記憶された各機能のメニューを表示することを特徴とする。
【００１５】
請求項６に記載の発明は、前記携帯無線端末が携帯電話機であり、前記記憶部に記憶された機能は、当該携帯電話機の有するアプリケーション（電話帳、メモ帳、ゲーム、ＭＰ３プレーヤー、電子メール機能等）であることを特徴とする。
【００１６】
【発明の実施の形態】
以下、図面を参照し、本発明の一実施形態について説明する。
図１は本発明の一実施形態による移動通信機（携帯電話機、携帯無線端末）を利用した無線通信システムの構成を示すブロック図である。この図において、符号１は、無線電話機能を有した携帯電話機であり、無線通信回線を介して発着信が行えるものである。符号２は、無線電話機能を有したＰＨＳ（Ｐｅｒｓｏｎａｌ  Ｈａｎｄｙ−ｐｈｏｎｅ  Ｓｙｓｔｅｍ）であり、無線通信回線を介して発着信が行えるものである。符号３は、無線電話機能を有した携帯情報端末機であり、無線通信回線を介して発着信が行えるものである。符号４は、音声／データ伝送可能な通信回線を提供する通信ネットワークである。この通信ネットワーク４としては、電話回線網や専用回線網、又はインターネットと呼ばれるコンピュータネットワークなどが利用可能である。
【００１７】
携帯電話機１は、無線電話によって確立した通信回線１０１を介して通信ネットワーク４に接続される。ＰＨＳ２及び携帯情報端末機３は、通信回線１０２，１０３を介してそれぞれ通信ネットワーク４に接続される。また、通信ネットワーク４は、携帯電話機１、ＰＨＳ２及び携帯情報端末機３相互間を接続する。
【００１８】
図２は、図１に示す携帯電話機１の構成を示すブロック図である。この図において、符号１１はアンテナである。符号１２は、アンテナ１１の伸縮状態を検出する検知部である。符号１３は、アンテナ１１を介して無線信号を送受信する無線部である。また無線部１３は、受信した無線信号の受信レベルを検知する。符号１４は、無線部１３から出された信号を処理する信号処理部である。
【００１９】
符号１５は、信号処理部１４を介して無線電話回線を確立するための通信制御及びデータ通信制御並びに各種制御を行う制御部である。符号１６は、制御部１５により確立された無線電話回線を介して送受される音声を処理する音声処理部である。符号１７は、音声処理部１６に音声を入力するためのマイクを備えた送話部である。符号１８は、音声処理部１６から出力された音声信号を音に変換するスピーカを備えた受話部である。
【００２０】
符号１９は、電話番号等を入力するためのテンキー等の各種入力キーを備えた入力操作部である。入力操作部１９で入力されたデータは制御部１５に取り込まれる。符号２０は、液晶表示パネルおよび表示制御回路からなる表示部であり、制御部１５から出力されたデータを表示するものである。符号２１は、制御部１５から出力された各種データを読み書き可能に記憶する記憶部である。記憶部２１は、携帯電話機１が備える電子メール機能関連の情報を記憶する電子メール機能記憶部２３と、後述する指定情報記憶領域２２とを備えている。
【００２１】
なお、電子メール機能記憶部２３には、再送メール、受信メール、送信メールの各データが格納されている。これらのメールは、制御部１５が電子メール機能を実行することにより、読出し等が可能となっている。
【００２２】
図３は、指定情報記憶領域２２に格納された指定情報の構成例を示す図である。指定情報は、圏内又は圏外において、入力操作部１９における所定の操作又はアンテナ１１の伸縮を契機とすることにより実行される機能を指定したものであり、ユーザが入力操作部１９を操作することにより入力されるものである。図３において、各キーに対し「指定無し／再送メール表示／受信メール表示／メール作成／送信メール表示」なる所定の機能が指定情報となっている。
【００２３】
従って、この場合、携帯無線端末が圏内にあるとき「発着信ボタン」を押下すれば発着信が実行され、圏外にあるときに「発着信ボタン」又はアンテナ操作がされれば「メール作成」機能が実行されることになる。なお、ユーザが指定可能な機能としては、例えば携帯電話機１のメニューで選択可能な機能が該当し、上記した電子メール機能の他、電話帳、メモ帳、ゲーム、ＭＰ３プレーヤー等の機能が挙げられる。ここで、ＭＰ３プレーヤーは、「ＭＰＥＧ−１  Ａｕｄｉｏ  Ｌａｙｅｒ−３」という技術で圧縮されたサウンドデータを再生する機能である。また、これらの諸機能が有するサブ機能を指定することも可能である。
【００２４】
次に、携帯電話機１（本発明に係る携帯無線端末）で行われる処理について、図４を参照して説明する。なお、この実施形態では、携帯電話機１の電源がＯＮにされ、待ち受け状態になっているときに以下の処理が行われる。
先ず、携帯電話機１の制御部１５は、無線部１３が検知した受信レベルを、信号処理部１４を介して取得し（ステップＳ２００）、圏外か否かを判定する（ステップＳ２１０）。ステップＳ２１０で「Ｎｏ」の場合、制御部１５は処理を終了させる。ステップＳ２１０で「Ｙｅｓ」の場合、制御部１５は、アプリケーション動作状態を取得し（ステップＳ２２０）、起動中か否かを判定する（ステップＳ２３０）。
【００２５】
ステップＳ２３０で「Ｙｅｓ」の場合、制御部１５は処理を終了させる。ステップＳ２３０で「Ｎｏ」の場合、制御部１５は、入力操作部１９におけるキー入力を監視するとともに、検知部１２から出されるアンテナ１１の伸縮状態が変化したこと（すなわちユーザによってアンテナ１１の伸縮操作が行われたこと）を示す情報（アンテナ伸縮の検知情報）について監視する（ステップＳ２４０）。ステップＳ２４０での監視において、制御部１５がキー入力又はアンテナ伸縮の検知情報を取得する（ステップＳ２５０）と、制御部１５は記憶部２１にアクセスして指定情報記憶領域２２に指定情報が記憶されているか否かを判定する（ステップＳ２６０）。
【００２６】
ステップＳ２６０で「Ｎｏ」の場合、制御部１５は処理を終了させる。ステップＳ２６０で「Ｙｅｓ」の場合、制御部１５は、指定情報を読み出して（ステップＳ２７０）、この指定情報が示すモード（機能）を実行する（ステップＳ２８０）。なお、制御部１５は、指定情報に基づき、適宜ＲＯＭや記憶部２１に格納されている対応プログラム（電子メール機能などのアプリケーション）を起動させることによりモードを実行し、必要に応じて表示部２０に実行結果を表示させる。
【００２７】
次に、図４に示す処理フローにおいて行われるものであって、携帯電話機１の表示部２０上での他の画面表示例を図６に示す。この画面表示例は、図３に示す指定情報の構成が圏外用機能の「メール作成」の場合の例である。
この図においても、待ち受け画面は、図５に示す従来の待ち受け画面と同一である。ここで、携帯電話機１が待ち受けモードになっているとともに圏外に存在する場合、入力操作部１９におけるキー入力、又は検知部１２におけるアンテナ１１の伸縮検知が行われると、指定情報として記憶されたモードである「メール作成モード画面」へ移行する。「メール作成モード画面」は、図５における「メール作成モード画面」と同一である。
【００２８】
そこで、本実施形態では、前記図５における「電話機メニュー選択画面」および「電子メールメニュー選択モード画面」を表示させる必要がなく、それに伴うキー操作（所定キー、カーソルキー、及び確定キーの押下）を省略することができる。
また、メニュー表示ボタンを有する携帯電話機であれば圏外時にメニュー表示画面を押下すると圏外用のメニュー画面が表示される。
【００２９】
なお、上述した実施形態においては、移動通信機（携帯無線端末）として携帯電話機１に本発明を適用した場合について説明したが、ＰＨＳ２又は携帯情報端末機３にも同様に本発明を適用することが可能である。
【００３０】
以上、本発明の実施形態について図面を参照して詳述してきたが、具体的な構成はこの実施形態に限られるものではなく、本発明の要旨を逸脱しない範囲の設計変更等も含まれる。
【００３１】
【発明の効果】
以上説明したように、本発明によれば、圏内では複数回のキー操作を必要とする機能を圏外用指定情報として各キーに割り当てることにより、圏外においては各機能に対応した所定のキー入力又はアンテナの伸縮操作という簡易な操作をすることにより、所定の機能が実行されるので、複数回のキー操作が不要となりユーザの利便性を向上させることができる。
【００３２】
また、圏外用指定情報に、１つの機能に対して全てのキーを割り当てた場合には、圏外において、例えばいずれかのキー入力又はアンテナの伸縮操作という覚えやすく確実な操作等で所定機能を実行させることができるので、操作のための方法を忘れたり、誤操作することを防止できる。
【００３３】
また、各キー入力又はアンテナの伸縮操作により実行される所定の機能を、ユーザが自由に割当てることができ、ユーザの利便性をさらに向上させることができる。
【図面の簡単な説明】
【図１】本発明の実施形態による移動通信機を利用した無線通信システムの構成を示すブロック図である。
【図２】図１に示す携帯電話機の構成を示すブロック図である。
【図３】指定情報の構成例を示すブロック図である。
【図４】携帯電話機での処理フローを示す図である。
【図５】従来の携帯電話機での電子メール作成手続きを示す図である。
【図６】携帯電話機での電子メール作成手続きを示す図である。
【符号の説明】
１：携帯電話機
２：ＰＨＳ
３：携帯情報端末機
４：通信ネットワーク
１１：アンテナ
１２：検知部
１３：無線部
１４：信号処理部
１５：制御部
１６：音声処理部
１７：送話部
１８：受話部
１９：入力操作部（入力キー）
２０：表示部
２１：記憶部
２２：指定情報記憶領域
２３：電子メール機能記憶部
【図１】
2004179967.tif 000003
【図２】
2004179967.tif 000004
【図３】
2004179967.tif 000005
【図４】
2004179967.tif 000006
【図５】
2004179967.tif 000007
【図６】
2004179967.tif 000008